(57)【要約】      （修正有）【課題】本発明は、ＩｏＴデバイスにおりんを用いることで、おりんを操作する積極的な行動や、他の人の操作によりおりんが鳴る情報に基づいて、相互に情報通信可能な情報伝達システムを提供する。【解決手段】おりん１Ａと、前記おりんの操作を検知する手段（センサー６）及び通信手段（送受信機５）を備え、前記通信手段にておりんの操作を検知した情報を送信する。【選択図】図１
2019096275.tif 000002
【特許請求の範囲】
【請求項１】
おりんと、前記おりんの操作を検知する手段及び通信手段を備え、
前記通信手段にておりんの操作を検知した情報を送信することを特徴とするおりんによる情報伝達システム。
【請求項２】
前記おりんが複数のおりんで構成されており、それぞれのおりんを区別しておりんが操作されたことを検知することができる請求項１記載のおりんによる情報伝達システム。
【請求項３】
おりんと、前記おりんを操作する手段及び通信手段を備え、前記通信手段にておりんを操作することを特徴とするおりんによる情報伝達システム。
【請求項４】
前記おりんが複数のおりんで構成されており、前記それぞれのおりんを連動させて相互に制御することができることを特徴とする請求項３記載のおりんによる情報伝達システム。
【請求項５】
複数のおりんで構成された情報伝達システムであって、第１のおりんと、前記第１のおりんの操作を検知する手段及び前記第１のおりんを操作する手段と、
他の第２のおりんと、前記第２のおりんの操作を検知する手段及び前記第２のおりんを操作する手段とを備え、
前記第１のおりんと他の第２のおりんとは通信手段にて相互に接続されていることを特徴とするおりんによる情報伝達システム。
【請求項６】
前記第１のおりん又は／及び他の第２のおりんを遠隔操作できる遠隔操作手段を有することを特徴とする請求項５記載のおりんによる情報伝達システム。
【請求項７】
前記第１のおりんと第２のおりんとは前記相互の通信手段を介して、相互に情報伝達が可能な情報伝達手段を有していることを特徴とする請求項５又は６記載のおりんによる情報伝達システム。
【発明の詳細な説明】
【技術分野】
【０００１】
本発明は、おりんをＩｏＴデバイスとして用いた情報伝達システムに関する。
【背景技術】
【０００２】
従来のいわゆる見守りシステムといわれるものは、例えば特許文献１に開示されているように、見守り対象となる例えば高齢者の動作を検知し、近親者等の支援者に情報を送信するものである。
これでは、高齢者にとっては、いつも監視されているといった不快感が生じる課題がある。
特許文献２には、信仰心が厚いとされるお年寄りのために、仏壇あるいは祭壇の近辺に情報端末を設置し、お寺の住職や神社の神官らとをインターネット回線を通してつなぐ技術が提案されている。
しかし、お年寄りが情報端末を操作するのは不慣れな場合が多く、実用的ではない。
【先行技術文献】
【特許文献】
【０００３】
【特許文献１】特開２０１６−９９６８３号公報
【特許文献２】特開２００７−１８０２４号公報
【発明の概要】
【発明が解決しようとする課題】
【０００４】
従来の見守りシステム等により監視されていることや一方向の情報伝達によりコミュニケーションの非対称性への不快感がなく、情報端末の操作や使用する環境の整備や設定にの複雑さや難しさを低減する目的で本発明は、ＩｏＴデバイスにおりんを用いることで、おりんを操作する積極的な行動や、他の人の操作によりおりんが鳴る情報に基づいて、相互に情報通信可能な情報伝達システムの提供を行う。
【課題を解決するための手段】
【０００５】
本発明に係る情報伝達システムは、ＩｏＴデバイスにおりんを用いた点に特徴がある。
そこで、おりんと、前記おりんの操作を検知する手段及び通信手段を備え、前記通信手段にておりんの操作を検知した情報を送信することを特徴とする。
この場合に、おりんが複数のおりんで構成されており、それぞれのおりんを区別しておりんが操作されたことを検知することができるのがよい。
この場合に、おりんの鳴る音の周波数の解析手段を設けて、誤作動を防止してもよい。
また、おりんと、前記おりんを操作する手段及び通信手段を備え、前記通信手段にておりんを操作することを特徴とする。
この場合も、前記おりんが複数のおりんで構成されており、前記それぞれのおりんを連動させて相互に制御することができるのがよい。
具体的には、複数のおりんで構成され、第１のおりんと、前記第１のおりんの操作を検知する手段及び前記第１のおりんを操作する手段と、他の第２のおりんと、前記第２のおりんの操作を検知する手段及び前記第２のおりんを操作する手段とを備え、前記第１のおりんと他の第２のおりんとは通信手段にて相互に接続されていることを特徴とする。
これにより、第１のおりんを操作すると、第２のおりんにそれが送信され、また第２のおりんを操作することで、第１のおりんに情報を伝達することができる。
【０００６】
ここで第１のおりんとは、例えば高齢者側等の一方の操作者のおりんをいい、他の第２のおりんとは、例えば高齢者を支援する側の他方の操作者のおりんをいう。
また、第１のおりんと第２のおりんとの関係は、必ずしも見守り用ではなく、相互に情報伝達する者同士の関係であってもよく、対象に限定はない。
第２のおりんは、第１のおりんとの操作者が相違する意味であって、複数のおりんが相互にネットワークにて接続されていてもよい。
【０００７】
本発明にておりんを操作するとは、情報の発信者において、おりんを鳴らすりん棒、あるいは電気的に打りんする電子打りん装置であってもよい。
これに対して、受信側のおりんの操作は、電気信号を受けて打りんする電子打りん装置等になる。
本発明において、おりんの操作を検知する手段は、例えばおりんを鳴らす音や、その動作そのものを電気信号に変換するセンサー等をいう。
これらの電気信号は、インターネット等を経由して、クラウド上のサーバーと直接通信するものや、携帯電話等の基地局を介してサーバーと通信接続してもよい。
費用を抑え、より多くのおりんとの接続が容易な点では、Ｗｉ−Ｆｉ，Ｂｌｕｅｔｏｏｔｈ（登録商標），９２０ＭＨｚ帯無線，ＺｉｇＢｅｅ等のＩｏＴゲートウェイを介するのが好ましい。
また、さらにルーターを用いてネットワークを構築してもよい。
なお、比較的狭いエリアにおいては、ＩｏＴゲートウェイ間での相互通信も可能である。
また、無線通信によるネットワークに限定するものでもない。
【０００８】
本発明においては、第１のおりん又は／及び他の第２のおりんを遠隔操作できる遠隔操作手段を有していてもよい。
ここで、遠隔操作手段とは、モバイル通信端末やウエアラブル通信端末が好ましく、いわゆるスマートフォンやタブレット端末、スマートウォッチが例として挙げられる。
通信端末には、各種アプリケーションソフト（アプリ）を組み込むことができる。
例えば、第１のおりんの操作状況をアプリを介して閲覧することができる。
また、アプリを操作することで、第２のおりんから第１のおりんに情報を流すこともできる。
【０００９】
本発明においては、第１のおりんと第２のおりんとは前記相互の通信手段を介して、相互に情報伝達が可能な情報伝達手段を有しているのが好ましい。
例えば、アプリとして第２のおりんを鳴らす時間を設定したり、おりんの鳴らす回数やその強さを組み合せて、各水準を定めることで、各水準の有する情報内容と対応させることもできる。
例えば、第１のおりんを１回鳴らすと、健康である。
２回鳴らすと、外出する。
３回鳴らすと、支援者に応援を依頼する。
また、一定の時間操作ボタンを長く押し続けると、めざまし時計として作用し、所定の時間経過後に第１のおりんが自動的に鳴る。
このように、各種情報と組み合せることができ、この情報を第１のおりんと第２のおりんとで相互に情報伝達することもできる。
また、通常よりも強くなったり弱くなったりする場合に、その変化をデータとしてとらえ、解析することで、異常の有無を検知することができる。
また、第１のおりんと第２のおりんが、対又はグループの情報を有し、その他の対又はグループのおりんとは独立して相互通信を行うこともできる。
このようにすると、音を出せない人や音を出せない状態でも情報伝達できる。
【発明の効果】
【００１０】
本発明に係るおりんによる情報伝達システムは、おりんを操作する（人の）積極的な行動を介して、他のおりんにその情報を伝達することができるので、従来の一方的な見守りや、パソコン操作が必要なシステムと比較して、操作が簡単でおりんの澄み切った音色によるので、心地よい情報伝達システムとなる。
【図面の簡単な説明】
【００１１】
【図１】本発明に係る情報伝達システムの構成例を示し、（ａ）は第１のおりん側、（ｂ）は第２のおりん側を示す。
【図２】おりんの内部に制御部を設けた例を示す。
【図３】（ａ）は基地局を介してネットワークを形成した例を示し、（ｂ）はＩｏＴゲートウェイを介してネットワークを形成した例を示す。
【図４】複数のおりんをＩｏＴゲートウェイを介してネットワークを形成した例を示す。
【発明を実施するための形態】
【００１２】
本発明に係るおりんによる情報伝達システムの構成例を、以下図に基づいて説明する。
図１は、第１のおりん１Ａと第２のおりん１Ｂと、２つのおりんをネットワークにて接続した例を示すが、おりんの数に制限がなく、多くのおりんをネットワークを介して接続することができる。
図１に示したおりんの形状は、お椀を逆さにしたような例を示すが、上部が開口したお椀型のおりん等、おりんそのものには制限がない。
図１（ａ）に示すように、例えば高齢者側の第１のおりん１Ａは、おりんを叩くりん棒２を備える。
制御部３は、おりんを打りんするための電子打りん装置４と、おりんが鳴ったことを検知するセンサー６、基地局１１やゲートウェイ１２との送受信機５を備えている。
制御部３は、図１に示すようにおりんの外側でも、図２に示すようにおりんの内部に設けてもよい。
このおりんは、ベース部１ｂの上にりん本体部１ａを有している。
ネットワークの構築方法としては、図３（ａ）に示すように基地局１１を介してサーバー、あるいはクラウド上のサーバーとネットワークを形成してもよく、図４に示すように各種無線方式のゲートウェイ１２を介して、ネットワークを構築してもよい。
図３（ｂ）は、それらを組み合せた例を示す。
【００１３】
図１（ａ）に示すように、第１のおりん１Ａをりん棒２にて打ち鳴らすと、ネットワークを介して図１（ｂ）に示すように、第２のおりん１Ｂが鳴るようになっている。
また、逆に第２のおりん１Ｂを打ち鳴らすと、第１のおりん１Ａが鳴るようになっており、おりんを介して相互に情報伝達が可能である。
また、ネットワークは、例えばスマートフォン，タブレット等の通信端末１３とつながっている。
これにより、第１のおりん１Ａの操作状況をアプリを介して知ることができ、第２のおりん１Ｂの打りん操作も可能である。
【符号の説明】
【００１４】
１Ａ      第１のおりん
１Ｂ      第２のおりん
２        りん棒
３        制御部
４        電子打りん装置
５        送受信機
６        センサー
１１      基地局
１２      ゲートウェイ
１３      通信端末
【図１】
2019096275.tif 000003
【図２】
2019096275.tif 000004
【図３】
2019096275.tif 000005
【図４】
2019096275.tif 000006
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
複数のおりんで構成された情報伝達システムであって、
前記複数のおりんはそれぞれ他のおりんと区別された操作手段又は／及び検知手段を有し、
前記複数のおりんは通信手段を介して、相互に情報伝達が可能であることを特徴とする情報伝達システム。
【請求項２】
前記複数のおりんは、第１のおりんと第２のおりんを有し、
第１のおりんを操作すると第２のおりんがそれを検知できるものであることを特徴とする請求項１記載の情報伝達システム。
【請求項３】
前記複数のおりんのうち、少なくとも１つ以上を遠隔操作できる遠隔操作手段を有していることを特徴とする請求項１又は２記載の情報伝達システム。